(57)【要約】【課題】ユニットが左右方向に複数組付けられたユニット構造物の施工方法を提供する。【解決手段】対面配置された木質の壁部材１１０と、壁部材１１０に接合され壁部材１１０から張り出した木質の水平部材１２０と、を有するユニット１００が、左右方向に複数組付けられたユニット構造物１０の施工方法である。中央のユニット１００Ｂが入るスペース３２を空けて、スペース３２の左右にユニット１００Ａ、１００Ｂを組み立てる。スペースに対面配置された壁部材１１０Ｂをジャッキアップする。ジャッキアップされた壁部材１１０Ｂに水平部材１２０Ｂを接合し、中央のユニット１００Ｂを組み立てる。中央のユニット１００Ｂをジャッキダウンしてスペース３２に設置すると共に、水平部材１２０同士を突き合せる。【選択図】図１
2019023395.tif 000002
【特許請求の範囲】
【請求項１】
対面配置された木質の壁部材と、前記壁部材に接合され前記壁部材から左側及び右側の少なくとも一方側に張り出した木質の水平部材と、を有するユニットが、左右方向に複数組付けられたユニット構造物の施工方法であって、
前記ユニットが入るスペースを空けて、前記スペースの左右に前記ユニットを組み立てる工程と、
前記スペースに対面配置された前記壁部材をジャッキアップする工程と、
前記ジャッキアップされた前記壁部材に前記水平部材を接合し、中央の前記ユニットを組み立てる工程と、
中央の前記ユニットをジャッキダウンして前記スペースに設置すると共に、前記水平部材同士を突き合せる工程と、
を備えたユニット構造物の施工方法。
【請求項２】
中央の前記ユニットをジャッキダウンする工程の前に、前記スペースに内壁材を設ける工程を有し、
中央の前記ユニットをジャッキダウンする工程の後に、前記内壁材をジャッキダウンした中央の前記ユニットの前記水平部材に接合する工程を有している、
請求項１に記載のユニット構造物の施工方法。
【請求項３】
対面配置された木質の壁部材と、前記壁部材に接合された木質の水平部材と、を有するユニットが、左右方向に複数組付けられたユニット構造物の施工方法であって、
左右に間隔をあけて前記ユニットを組み立てる工程と、
前記水平部材を降ろして、前記水平部材を左右の前記ユニットの前記壁部材に設けられた受部に掛け渡して支持させる工程と、
を備えたユニット構造物の施工方法。
【発明の詳細な説明】
【技術分野】
【０００１】
本発明は、ユニット構造物の施工方法に関する。
【背景技術】
【０００２】
特許文献１には、野縁と野縁受けとこれらの連結金具等よりなる格子状の天井下地と、その下面に取り付ける天井板とで構成される天井の施工方法に関する技術が開示されている。この先行技術では、可搬型リフターにより作業台を上昇駆動して天井下地を所定高さに持ち上げた状態で、当該天井下地を予め上階の床版の所定位置に垂下させてある複数の吊り治具に連結する。そして、作業台を下降させた後、天井下地に天井板を取り付けている。
【０００３】
特許文献２には、ユニット式建物の施工方法に関する技術が開示されている。この先行技術では、搬入手段、第１移送手段、第２移送手段により基礎上の奥側位置に配置した第４建物ユニットを、ユニット上昇手段によって建物ユニット１個分だけ上昇させ、その下方に形成された空間に第２建物ユニットを配置する。続いて、ユニット上昇手段を手前側位置に移動し、手前側位置に配置された第３建物ユニットを建物ユニット１個分だけ上昇させ、その下方に第１建物ユニットを配置し、２階建てのユニット式建物を建てている。
【先行技術文献】
【特許文献】
【０００４】
【特許文献１】特開平７−３１７１９６号公報
【特許文献２】特開平７−１１３２６８号公報
【発明の概要】
【発明が解決しようとする課題】
【０００５】
引用文献２は、クレーンを使用せずにユニットを上下に接合する技術が開示されているが、ユニットを左右方向に複数組付ける施工方法に関する技術は開示されていない。
【０００６】
本発明は、上記事実に鑑み、ユニットが左右方向に複数組付けられたユニット構造物の施工方法を提供することが目的である。
【課題を解決するための手段】
【０００７】
請求項１の発明は、対面配置された木質の壁部材と、前記壁部材に接合され前記壁部材から左側及び右側の少なくとも一方側に張り出した木質の水平部材と、を有するユニットが、左右方向に複数組付けられたユニット構造物の施工方法であって、前記ユニットが入るスペースを空けて、前記スペースの左右に前記ユニットを組み立てる工程と、前記スペースに対面配置された前記壁部材をジャッキアップする工程と、前記ジャッキアップされた前記壁部材に前記水平部材を接合し、中央の前記ユニットを組み立てる工程と、中央の前記ユニットをジャッキダウンして前記スペースに設置すると共に、前記水平部材同士を突き合せる工程と、を備えたユニット構造物の施工方法である。
【０００８】
請求項１に記載の発明では、左右のユニットを組み立て、その間のスペースにジャッキアップした状態で中央のユニットを組み立てる。そして、中央のユニットをジャッキダウンすることで、ユニットを左右方向に複数組み付けたユニット構造物となる。よって、ユニットを持ち上げるクレーン等の重機を使うことなく、ユニットを左右方向に複数組み付けたユニット構造物を施工することができる。
【０００９】
請求項２の発明は、中央の前記ユニットをジャッキダウンする工程の前に、前記スペースに内壁材を設ける工程を有し、中央の前記ユニットをジャッキダウンする工程の後に、前記内壁材をジャッキダウンした中央の前記ユニットの前記水平部材に接合する工程を有している、請求項１に記載のユニット構造物の施工方法である。
【００１０】
請求項２に記載の発明では、左右のユニットの間にジャッキダウンして設置する中央のユニットに、内壁材を容易に設けることができる。
【００１１】
請求項３の発明は、対面配置された木質の壁部材と、前記壁部材に接合された木質の水平部材と、を有するユニットが、左右方向に複数組付けられたユニット構造物の施工方法であって、左右に間隔をあけて前記ユニットを組み立てる工程と、前記水平部材を降ろして、前記水平部材を左右の前記ユニットの前記壁部材に設けられた受部に掛け渡して支持させる工程と、を備えたユニット構造物の施工方法である。
【００１２】
請求項３に記載の発明では、左右のユニットの壁部材に設けた受部に、水平部材を降ろして掛け渡すことで、ユニットが左右方向に複数並んだユニット構造物となる。
【発明の効果】
【００１３】
本発明によれば、ユニットが左右方向に複数組付けられたユニット構造物を現場で組み付けることができる。
【図面の簡単な説明】
【００１４】
【図１】第一実施形態のユニット構造物の左右方向に沿った縦断面図である。
【図２】図１のユニット構造物の中央のユニットをジャッキアップして組み立てた状態の縦断面図である。
【図３】図２の中央のユニットをジャッキダウンした状態の縦断面図である。
【図４】（Ａ）は第一実施形態の変形例のユニット構造物の中央のユニットをジャッキアップして組み立てた状態の縦断面図であり、（Ｂ）は中央のユニットをジャッキダウンした状態の縦断面図である。
【図５】（Ａ）は第二実施形態のユニット構造物の中央のユニットの水平部材を降ろす前の模式図であり、（Ｂ）は中央のユニットの水平部材を下ろして組み付けた状態の模式図であり、（Ｃ）は第二実施形態の第四変形例のユニット構造物の中央のユニットの水平部材を降ろす前の模式図であり、（Ｄ）は第二実施形態の第五変形例のユニット構造物の要部の中央のユニットの水平部材を降ろす前の模式図である。
【図６】（Ａ）は第二実施形態の第一変形例のユニット構造物の中央のユニットの水平部材を下ろして組み付けた状態の模式図であり、（Ｂ）は第二変形例のユニット構造物の中央のユニットの水平部材を下ろして組み付けた状態の模式図であり、（Ｃ）は第三変形例のユニット構造物の中央のユニットの水平部材を下ろして組み付けた状態の模式図である。
【発明を実施するための形態】
【００１５】
＜第一実施形態＞
本発明の一実施形態に係るユニット構造物を含む構造物について説明する。水平方向の直交する二方向をＸ方向及びＹ方向とし、鉛直方向をＺ方向とする。なお、後述する左右方向がＸ方向である。また、Ｙ方向を示す矢印Ｙは図示されていない。
【００１６】
［構造］
先ず、本実施形態に係る構造物の構造について説明する。
【００１７】
図１に示すように、ユニット構造物１０は、複数のユニット１００が上下（Ｚ方向）及び左右（Ｘ方向）に組み付けられ接合されて構築されている。本実施形態では、ユニット１００が、左右（Ｘ方向）に三つ接合され、上下（Ｚ方向）に二つ接合されている。なお、図示されていないが、奥行き方向（Ｙ方向）にもユニット１００が並べられ組み付けられ接合されている。
【００１８】
ここで、ユニット１００は、左右方向（Ｘ方向）の左から順番にユニット１００及びその構成部材に、符号の後にＡ、Ｂ、Ｃを付して説明する場合がある（図２及び図３を参照）。例えば、ユニット１００Ａ、１００Ｂ、１００Ｃや水平部材１２０Ａ、１２０Ｂ、１２０Ｃである。なお、これらを区別する必要がない場合は、Ａ、Ｂ、Ｃを付さない。
【００１９】
各ユニット１００は、木質の積層材の一例としての直交集成材２００からなる壁部材１１０及び水平部材１２０で構成されている。直交集成材２００は、各層で繊維方向が互いに直交するように積層し接着した木質の板材である。
【００２０】
壁部材１１０は左右（Ｘ方向）に間隔をあけて対向配置され、水平部材１２０は壁部材１１０から左側及び右側に張り出し壁部材１１０の上端部に接合されている。なお、水平部材１２０における壁部材１１０から左右（Ｘ方向）に張り出した部位を張出部１２２とする。よって、ユニット１００は、Ｙ方向から見た立面が鳥居形状（π字形状）となっている。
【００２１】
ユニット１００における水平部材１２０の張出部１２２の下面と、壁部材１１０の外側の壁面１１３と、がＬ字状の金物１３０で接合されている
【００２２】
壁部材１１０及び水平部材１２０には、上下のユニット１００を接合するための後述する引きボルト１５０が挿通する縦孔（図示略）が形成されている。また、壁部材１１０には、縦孔の上端部に連通する板厚方向に貫通する取付孔１１２が形成されている。更に、水平部材１２０の張出部１２２の左右の端部には、後述するスプライン接合のための段差１２４が形成されている。なお、引きボルト１５０以外の連結部材で連結してもよい。また、取付孔１１２は、貫通していなくてもよい（凹状であってもよい）。
【００２３】
左右（Ｘ方向）に隣り合うユニット１００同士は、水平部材１２０の左右の端部１２６同士を突き合わせて、段差１２４に合板製の接合板材１７０をはめ込みビスで固定するスプライン接合で接合されている。なお、接合板材１７０は、合板製（木製）でなく、板金（金属製）であってもよい。
【００２４】
隣り合うユニット１００の壁部材１１０と壁部材１１０との間１１１には、グラスウール等からなる吸音材１６０が設けられている。吸音材１６０は、一方の壁部材１１０の外側の壁面１１３に接合されている。
【００２５】
上下に積層されたユニット１００同士は、縦孔１３２、１３４（図５を参照）に挿通された引きボルト１５０が取付孔１１２内でナットによって固定され、接合されている。なお、最上層（本実施形態では二層）は、引きボルト１５０は水平部材１２０の上面において、ナットで固定されている。
【００２６】
下側のユニット１００の水平部材１２０と上側のユニット１００の壁部材１１０の内側の壁面１１４が、Ｌ字状の金物１３１で接合されている。
【００２７】
最下層のユニット１００は、基礎３０に固定された引きボルト１５０が縦孔に挿通され、取付孔１１２内でナットによって固定されている。また、ユニット１００の壁部材１１０の内側の壁面１１４が基礎３０にＬ字状の金物１３１で接合されている。
【００２８】
本実施形態におけるユニット構造物１０の各ユニット１００における左右の壁部材１１０間が居室５２となる。居室５２内には、図示していないユニットバス、照明器具及び空調設備などが設けられている。また、取付孔１１２は、図示していない木質材で閉ざされている。
【００２９】
居室５２における水平部材１２０上には、間隔をあけて木製の床仕上材６０が設けられ、二重床となっている。床仕上材６０は、図示していない床根太等で支持されている。
【００３０】
なお、ユニット１００の壁部材１１０の内側の壁面１１４と基礎３０又は下側のユニット１００の水平部材１２０とを接合するＬ字状の金物１３１は、床仕上材６０の下側に位置する。
【００３１】
［施工方法］
次にユニット構造物１０の施工方法の一例について説明する。
【００３２】
図２に示すように、左右方向（Ｘ方向）に間隔をあけて左右のユニット１００Ａ、１００Ｃを組み立て、これら左右のユニット１００Ａ、１００Ｃの間にジャッキアップして中央のユニット１００Ｂを組み立てたのち、図３に示すように、ジャッキダウンして左右のユニット１００Ａ、１００Ｃの水平部材１２０Ａ、１２０Ｃの端部１２６Ａ、１２６Ｃと中央のユニット１００Ｂの水平部材１２０の端部１２６Ｂとを突き合わせ、スプライン接合する。
【００３３】
より具体的に説明すると、先ず中央のユニット１００Ｂが入るスペース３２の左右にユニット１００Ａ、１００Ｃの壁部材１１０Ａ、１１０Ｃを建てる。壁部材１１０Ａ、１１０Ｃの上に水平部材１２０Ａ、１２０Ｃを載せて、張出部１２２の下面と、壁部材１１０Ａ，１１０Ｃの外側の壁面１１３Ａ、１１３ＣとをＬ字状の金物１３０で接合する。また、スペース３２にジャッキ９０を設置する。
【００３４】
ジャッキ９０によってジャッキアップした状態で中央のユニット１００Ｂの壁部材１１０Ｂを建てる。壁部材１１０Ｂの上に水平部材１２０Ｂを載せて、張出部１２２Ｂの下面と、壁部材１１０Ｂの外側の壁面１１３ＢとをＬ字状の金物１３０で接合し、中央のユニット１００Ｂを組み立てる。なお、このとき引きボルト１５０Ｂを縦孔に挿通する。
【００３５】
図３に示すように、中央のユニット１００Ｂをジャッキダウンし、左右のユニット１００Ａ、１００Ｃの水平部材１２０Ａ、１２０Ｃの端部１２６Ａ，１２６Ｃと中央のユニット１００Ｃの水平部材１２０Ｂの端部１２６Ｂとを突き合わせ、スプライン接合する。
【００３６】
なお、図１に示す吸音材１６０は、ジャッキダウンする前に中央のユニット１００Ｂの壁部材１１０Ｂの外側の壁面１１３Ｂ又は左右のユニット１００Ａ、１００Ｂの壁部材１１０Ａ、１１０Ｃの左右の壁面１１３Ａ、１１３Ｃに予め接合しておく。
【００３７】
［作用及び効果］
次に、本実施形態の作用及び効果について説明する。
【００３８】
ユニット構造物１０は、木質の直交集成材２００からなる壁部材１１０及び水平部材１２０で構成されているユニット１００を、上下方向及び左右方向に接合して構築されている。ユニット構造物１０は、このように木質の壁部材１１０及び水平部材１２０で構成されたパネル工法であるので、木造軸組と比較し、耐震性が高く、筋交等を設ける必要がない。したがって、現場での作業が少なくなり、工期が短くなる。
【００３９】
また、左右のユニット１００Ａ、１００Ｃを組み立て、その間のスペース３２にジャッキアップした状態で中央のユニット１００Ｂを組み立てたのち、中央のユニット１００Ｂをジャッキダウンすることで、ユニット１００を左右方向（Ｘ方向）に複数（本実施形態では３つ）組み付けたユニット構造物１０となる。よって、ユニット１００を持ち上げるクレーン等の重機を使うことなく、ユニット１００を左右方向に複数組み付けたユニット構造物を現場で組み立てることができる。
【００４０】
本実施形態では、ユニット１００は、壁部材１１０から張り出した水平部材１２０の張出部１２２の下面と、壁部材１１０の外側の壁面１１３と、がＬ字状の金物１３０で接合されている。また、左右に隣り合うユニット１００同士は、水平部材１２０の左右の端部１２６同士を突き合わせて、段差１２４に合板製の接合板材１７０をはめ込みビスで固定している。これらは、居室５２の外側にあり、居室５２からは見えない。
【００４１】
更に、ユニット１００の壁部材１１０の居室５２側の内側の壁面１１３と、基礎３０又は下側のユニット１００の水平部材１２０とを接合するＬ字状の金物１３１は、床仕上材６０の下側に位置しており、居室５２からは見ない。
【００４２】
よって、居室５２からは、金物１３０、１３１及び接合板材１７０は見えずに、木質の直交集成材２００のみが見えるので、意匠性が向上する。
【００４３】
ここで、ユニット１００Ｂにおける水平部材１２０の下面と壁部材１１０の外側の壁面１１３とのＬ字状の金物１３０による接合の際、ユニット１００Ａ、１００Ｃの壁部材１１０Ａ、１１０Ｃとユニット１００Ｂの壁部材１１０Ｂとの間１１１は狭く、作業者が入って作業できるスペースはない。
【００４４】
しかし、本実施形態のように、ユニット１００Ｂはジャッキアップしているので、水平部材１２０の張出部１２２の下面と壁部材１１０の外側の壁面１１３とのＬ字状の金物１３０による接合が可能となる。また、吸音材１６０を隣り合うユニット１００の壁部材１１０と壁部材１１０との間１１１に容易に設けることがきる。更に、壁部材１１０と壁部材１１０との間１１１に配管や電線等の設備を設けることも容易である。
【００４５】
また、隣り合うユニット１００の壁部材１１０と壁部材１１０との間１１１には、吸音材１６０が設けられているので、防音性能が向上する。
【００４６】
また、隣り合う居室５２間を構成する壁部材１１０と壁部材１１０とを一つの複合壁と見なすことで、壁部材１１０（直交集成材２００）の板厚を薄くできる。
【００４７】
また、Ｌ字状の金物１３１による固定及び接合板材１７０によるスプライン接合は全て上方から作業できるので、作業性が良い。
【００４８】
［変形例］
次に本実施形態の変形例について説明する。
【００４９】
図４に示す変形例のユニット構造物５０における中央のユニット３００は、左右のユニット１００Ａ、１００Ｃよりも左右方向に幅広となっており、左右方向の中央には、壁面が耐火被覆材３１１で被覆された内壁材３１０が設けられ、水平部材３２０の下面とＬ字状の金物１３０で接合されている。よって、中央のユニット３００は、内壁材３１０によって仕切られ、二つの居室が設けられている。また、内壁材３１０に沿って、ユニットバス等の水周りユニット３５０（図４（Ｂ）参照）が設けられている。なお、水平部材３２０は、水平部材１２０と同様に直交集成材２００（図１を参照）で構成されている。
【００５０】
変形例のユニット構造物５０では、図４（Ａ）に示すように、左右のユニット１００Ａとユニット１００Ｃとの間に、ジャッキ９０によってジャッキアップした状態で中央のユニット３００を組み立てると共に内壁材３１０を建てる。
【００５１】
そして、図４（Ｂ）に示すように、中央のユニット３００をジャッキダウンし、左右のユニット１００Ａ、１００Ｃの水平部材１２０の端部１２６と中央のユニット３００の水平部材３２０の端部３２６とを突きあわせ、スプライン接合する。更に、内壁材３１０をジャッキダウンした中央のユニット３００の水平部材３２０の下面に金物１３０で接合する。
【００５２】
このように、左右のユニット１００Ａ、１００Ｃの間にジャッキダウンして設置する中央のユニット３００に、壁面が耐火被覆材３１１で被覆された内壁材３１０を容易に設けることができる。
【００５３】
また、内壁材３１０の壁面は耐火被覆材３１１で被覆されているので、耐火被覆材３１１で被覆していない場合と比較し、壁厚（板厚）を薄くすることができる。
【００５４】
なお、左右のユニット１００Ａ、ユニット１００Ｃも中央のユニット３００と同じように、左右方向に幅広とされ、左右方向の中央には、壁面が耐火被覆材３１１で被覆された内壁材３１０が設けられていてもよい。
【００５５】
また、内壁材３１０の壁面は、耐火被覆材３１１で被覆されてなくてもよい。
【００５６】
＜第二実施形態＞
次に第二実施形態のユニット構造物５００について説明する。なお、第一実施形態と同一の部材には同一の符号を付し、重複する説明は省略又は簡略化する。
【００５７】
［構造］
先ず、本実施形態に係る構造物の構造について説明する。
【００５８】
図５（Ａ）及び図５（Ｂ）に示すように、ユニット構造物５０は、３つのユニット５０２、５０４が左右（Ｘ方向）に組み付けられ接合されて構築されている。ユニット５０２、５０４は、木質の積層材の一例としての直交集成材２００（図１参照）からなる壁部材５１０及び水平部材５２０で構成されている。なお、左右のユニット５０２の一方の壁部材５１０は、ユニット５０４の壁部材５１０を兼ねている。
【００５９】
壁部材５１０は左右（Ｘ方向）に間隔をあけて対向配置され、水平部材５２０は壁部材５１０の上端部に接合されている。
【００６０】
左右のユニット５０２における壁部材５１０の外側の壁面５１３の上部には、受部の一例としてのＬ字状の金物１３０が設けられ、この金物１３０に中央のユニット５０４の水平部材５２０が掛け渡され、接合されている。
【００６１】
［施工方法］
次にユニット構造物５００の施工方法の一例について説明する。
【００６２】
図５（Ａ）に示すように、左右方向に間隔をあけて左右のユニット５０２の壁部材５１０を建てる。壁部材５１０の上に水平部材５２０を載せて接合する。また、左右のユニット５０２の壁部材５１０の外側の壁面５１３の上部にＬ字状の金物１３０を接合する。
【００６３】
図５（Ｂ）に示すように、中央のユニット５０４の水平部材５２０を、上方から降ろし、金物１３０に掛け渡し、接合する。
【００６４】
［作用及び効果］
次に、本実施形態の作用及び効果について説明する。
【００６５】
ユニット構造物５００は、木質の直交集成材２００からなる壁部材５１０及び水平部材５２０で構成されているユニット５０２、５０４を、上下方向及び左右方向に接合して構築されている。ユニット構造物５００は、このように木質の壁部材５１０及び水平部材５２０で構成されたパネル工法であるので、木造軸組と比較し、耐震性が高く、筋交等を設ける必要がない。したがって、現場での作業が少なくなり、工期が短くなる。
【００６６】
また、左右のユニット５０２の壁部材５１０の外側の壁面５１３に設けた金物１３０に、中央のユニット５０４の水平部材５２０を降ろし、金物１３０に掛け渡して接合することで、ユニット５０２、５０４が左右方向に並んだユニット構造物５００となる。
【００６７】
［変形例］
次に本実施形態の変形例について説明する。
【００６８】
（第一変形例）
図６（Ａ）に示す第一変形例のユニット構造物５０１では、左右のユニット５０２の壁部材５１０の外側に更に壁部材５１０を設け、接合している。そして、中央のユニット５０４の水平部材５２０を降ろし、壁部材５１０に掛け渡して接合している。なお、本変形例における左右のユニット５０２の壁部材５１０の外側に更に設けて接合する壁部材５１０は、受部としての機能を有している。
【００６９】
（第二変形例）
図６（Ｂ）に示す第二変形例のユニット構造物５０３では、左右のユニット５０２の壁部材５１０の外側の壁面５１３の上部に木質の突起部５３０をビス５３２に接合している。そして、部材中央のユニット５０４の水平部材５２０を降ろし、突起部５３０に掛け渡して接合している。
【００７０】
（第三変形例）
図６（Ｃ）に示す第三変形例のユニット構造物５０５では、左右のユニット５０２の壁部材５１０の外側の壁面５１３の上部に金物１３０を設けると共に、ユニット５０２間に壁部材５１０が左右（Ｘ方向）に間隔をあけて対向配置されている。そして、中央のユニット５０４の水平部材５２０を降ろし、金物１３０に掛け渡して接合していると共に、壁部材５１０に接合している。
【００７１】
（第四変形例）
図５（Ｃ）に示す第四変形例のユニット構造物５０７では、左右のユニット５０２の壁部材５１０の上端面の略半分に水平部材５２０が載せ掛けられ接合されている。そして、中央のユニット５０４の水平部材５２０を降ろし、壁部材５１０の上端面の略半分に載せ掛けられ接合されている。なお、本変形例の壁部材５１０は、受部としての機能を有している。
【００７２】
（第五変形例）
図５（Ｄ）に示す第五変形例のユニット構造物５０９では、左右のユニット５０２の水平部材５２０の端部には段差部５２３が形成されている。また、中央のユニット５０４の水平部材５２０の端部には段差部５２１が形成されている。そして、中央のユニット５０４の水平部材５２０を降ろし、段差部５２１が段差部５２３に嵌り、水平部材５２０が支持される。
【００７３】
＜その他＞
尚、本発明は上記実施形態及び変形例に限定されない。
【００７４】
また、例えば、上記実施形態では、木質の壁部材１１０、５１０及び水平部材１２０、５２０は、直交集成材２００で構成されているが、これに限定されない。例えば、単板の繊維方向を揃えて積層し接着した単板積層材（ＬＶＬ（Ｌａｍｉｎａｔｅｄ  Ｖｅｎｅｅｒ  Ｌｕｍｂｅｒ））であってもよいし、無垢材であってもよい。
【００７５】
また、例えば、上記第一実施形態では、ユニット１００における水平部材１２０は壁部材１１０から左右（Ｘ方向）に張り出していたが、これに限定されない。水平部材１２０は壁部材１１０の左右のいずれか一方のみから張り出していてもよい。
【００７６】
更に、本発明の要旨を逸脱しない範囲において種々なる態様で実施し得る。
【符号の説明】
【００７７】
１０      ユニット構造物
３２      スペース
５０      ユニット構造物
９０      ジャッキ
１００      ユニット
１１０      壁部材
１２０      水平部材
１３０      金物（受部の一例）
３００      ユニット
３１０      内壁材
３１１      耐火被覆材
３２０      水平部材
５００      ユニット構造物
５０１      ユニット構造物
５０２      ユニット
５０３      ユニット構造物
５０４      ユニット
５０５      ユニット構造物
５１０      壁部材
５２０      水平部材
５２１      段差部（受部の一例）
５２３      段差部（受部の一例）
５３０      突起部（受部の一例）
【図１】
2019023395.tif 000003
【図２】
2019023395.tif 000004
【図３】
2019023395.tif 000005
【図４】
2019023395.tif 000006
【図５】
2019023395.tif 000007
【図６】
2019023395.tif 000008